【手続補正書】
【提出日】平成22年12月1日(2010.12.1)
【手続補正１】
【補正対象書類名】明細書
【補正対象項目名】００５９
【補正方法】変更
【補正の内容】
【００５９】
ワイヤー絶縁材としての本発明の発泡組成物の有用性に加えて、本発明の発泡組成物は、特にフルオロポリマーの高温特性および耐熱性および耐薬品性が有益である条件で使用される、管材料、ケーブル中のより対線ワイヤーを離隔するためのスプライン（スペーサー）、フォームシート材料、ガスケット材料、および絶縁材などの他の発泡物品の製造に使用することができる。
したがって、上記の目的および利点を完全に満たす発泡性熱可塑性ポリマー組成物が本発明に従って提供されていることは明らかである。本発明は、その特定の実施形態と共に説明されているが、多くの代替形態、修正形態、および変形形態は当業者には理解されるであろうことは明白である。したがって、添付の特許請求の範囲の趣旨および広い範囲内に含まれる、かかるすべての代替形態、修正形態および変形形態を包含することが意図される。
【手続補正２】
【補正対象書類名】明細書
【補正対象項目名】００６０
【補正方法】変更
【補正の内容】
【００６０】
以下、本発明を要約すると下記のとおりである。
１．ａ）部分結晶性溶融加工性パーフルオロポリマーと、
ｂ）均一な発泡セルサイズを含む発泡成核パッケージであって、発泡セルの９０％の前記発泡セルサイズが５０マイクロメートル以下であり、かつ前記発泡成核パッケージが、前記パーフルオロポリマーと前記発泡成核パッケージの合計質量の０.１〜１０質量％の範囲である、発泡成核パッケージと
を含む発泡性組成物。
２．発泡成核パッケージが、スルホン酸およびホスホン酸およびそれらの塩からなる群から選択される、発泡成核有効量の少なくとも１種類の熱安定性化合物を有する発泡核剤を含む、上記１に記載の組成物。
３．パーフルオロポリマーが、約２５〜３５ｇ／１０分のメルトフローレートを有する、上記１に記載の組成物。
４．パーフルオロポリマーが、テトラフルオロエチレン、ヘキサフルオロプロピレンおよびパーフルオロ（アルキルビニルエーテル）からなる群から選択されるモノマーを重合することによって製造される、上記１に記載の組成物。
５．パーフルオロポリマーが、溶融状態でフッ素化されている、上記４に記載の組成物。６．ヘキサフルオロプロピレンが、パーフルオロポリマーの３〜２０質量％の範囲である、上記４に記載の組成物。
７．パーフルオロポリマーが、金属イオンを実質的に含有しない、上記１に記載の組成物。
８．パーフルオロポリマーが、金属イオン含有試薬を使用することなく、重合かつ単離される、上記１に記載の組成物。
９．パーフルオロポリマーが、少なくとも１種類のパーフルオロ（アルキルビニルエーテル）を約０．５〜１０質量％含有する、上記１に記載の組成物。
１０．パーフルオロ（アルキルビニルエーテル）がパーフルオロ（エチルビニルエーテル）である、上記９に記載の組成物。
１１．パーフルオロ（アルキルビニルエーテル）がパーフルオロ（プロピルビニルエーテル）である、上記９に記載の組成物。
１２．パーフルオロ（アルキルビニルエーテル）がパーフルオロ（メチルビニルエーテル）である、上記９に記載の組成物。
１３．少なくとも２０００ｐｓｉ（１３.８ＭＰａ）の引張り強さおよび少なくとも２００％の伸び率を含む、上記１に記載の組成物。
１４．１％以下の容量変動係数（ＣＯＶ）を含む、上記１に記載の組成物。
１５．１０〜５０％の気孔率を有する発泡性組成物を含む、上記１に記載の組成物。
１６．組成物が、自己スキン形成性である、上記１に記載の組成物。
１７．発泡性組成物が、１．５ｋＶで試験した場合に１０００フィート（３００ｍ）当たり１スパーク未満の火花抵抗を有する、上記１に記載の組成物。
１８．ａ）溶融状態でフッ素化されている、部分結晶性溶融加工性パーフルオロポリマーと、
ｂ）ｉ）窒化ホウ素；
ii）フルオロポリマー押出し成形温度で熱安定性であり、かつ金属カチオンおよび多価アニオンからなり、かつ以下の関係：
０.３６×［１４−ｐＫａ］−０.５２≧［ｒ−０.２ｑ］２≧０.１１×［１４−ｐＫａ］−０.２８
［但し、Ｒ＝カチオンの結晶イオン半径（オングストローム）であり、
Ｑ＝カチオンの原子価であり、
ｐＫａ＝以下の反応：
ＨＡ−（ｎ−１）＜＝＞Ｈ＋＋Ａ−ｎ
（式中、Ａは塩アニオンであり、Ｈは水素であり、ｎ＝アニオンの原子価の絶対値である）
のＫａの−ｌｏｇである］を満たす、相乗効果的な量の少なくとも１種類の無機塩；
iii）次式：
［Ｚ（ＣＦ２）ｘ（ＣＦ２ＣＦＸ）ｐ（Ｒ’）ｙ（ＣＨ２）ｚＲＯ３］ｎＭ
（式中、Ｚは、ＣＣｌ３、ＣＣｌ２Ｈ、Ｈ、Ｆ、ＣｌまたはＢｒから選択され；
Ｘはそれぞれ独立して、Ｈ、ＦまたはＣｌから選択され；
Ｒは、硫黄またはリンから選択され；Ｍは、Ｈまたは金属カチオン、アンモニウム、置換アンモニウムまたは第４級アンモニウムカチオンから選択され；
ｘは、整数であって０〜１０であり；
ｐは、整数であって０〜６であり；
ｙは、０または１であり；
ｚは、整数であって０〜１０であり；
ｘ＋ｙ＋ｚ＋ｐは、正の整数であるか、またはｘ＋ｙ＋ｚ＋ｐが０であれば、ＺはＣＣｌ３またはＣＣｌ２Ｈであり；
ｎは、Ｍの原子価であり；
Ｒ’は、
Ｃ５−６過フッ素化脂環式環ジラジカル；
［ＣＦ２Ｏ］、［ＣＦ２ＣＦ２Ｏ］、および［ＣＦ２ＣＦ（ＣＦ３）Ｏ］から選択される反復単位を有するＣ１−１６過フッ素化脂肪族ポリエーテルジラジカル；
置換または非置換芳香族ジラジカル（ここで、ＺはＨである）；から選択される）の発泡核剤；
を含む発泡成核パッケージと、を含む発泡性組成物であって、前記発泡成核パッケージが、前記パーフルオロポリマーと前記発泡成核パッケージの合計質量の０.１〜１０質量％の範囲である、発泡性組成物。
１９．パーフルオロポリマーが、テトラフルオロエチレン、ヘキサフルオロプロピレンおよびパーフルオロ（アルキルビニルエーテル）からなる群から選択されるモノマーを重合することによって製造される、上記１８に記載の組成物。
２０．パーフルオロポリマーが、テトラフルオロエチレンおよびパーフルオロ（アルキルビニルエーテル）からなる群から選択されるモノマーを重合することによって製造される、上記１８に記載の組成物。
２１．発泡成核パッケージの少なくとも１種類の無機塩が、四ホウ酸カルシウムを含む、上記１８に記載の組成物。
２２．発泡成核パッケージの前記発泡核剤が、Ｚｏｎｙｌ（登録商標）ＢＡＳを含む、上記１８に記載の組成物。
２３．発泡成核パッケージの前記発泡核剤が、Ｚｏｎｙｌ（登録商標）ＢＡＳを含む、上記２１に記載の組成物。
２４．発泡成核パッケージが、前記発泡成核パッケージの全質量％に対して、窒化ホウ素９１.１±０.５質量％、四ホウ酸カルシウム２.５±０.２質量％、およびＺｏｎｙｌ（登録商標）ＢＡＳ６.４±０.２質量％を含む、上記２２に記載の組成物。
【手続補正３】
【補正対象書類名】特許請求の範囲
【補正対象項目名】全文
【補正方法】変更
【補正の内容】
【特許請求の範囲】
【請求項１】
ａ）部分結晶性溶融加工性パーフルオロポリマーと、
ｂ）均一な発泡セルサイズを含む発泡成核パッケージであって、発泡セルの９０％の前記発泡セルサイズが５０マイクロメートル以下であり、かつ前記発泡成核パッケージが、前記パーフルオロポリマーと前記発泡成核パッケージの合計質量の０.１〜１０質量％の範囲である、発泡成核パッケージと
を含む発泡性組成物。
【請求項２】
パーフルオロポリマーが、テトラフルオロエチレン、ヘキサフルオロプロピレンおよびパーフルオロ（アルキルビニルエーテル）からなる群から選択されるモノマーを重合することによって製造される、請求項１に記載の組成物。
【請求項３】
ａ）溶融状態でフッ素化されている、部分結晶性溶融加工性パーフルオロポリマーと、
ｂ）ｉ）窒化ホウ素；
ii）フルオロポリマー押出し成形温度で熱安定性であり、かつ金属カチオンおよび多価アニオンからなり、かつ以下の関係：
０.３６×［１４−ｐＫａ］−０.５２≧［ｒ−０．２ｑ］２≧０.１１×［１４−ｐＫａ］−０.２８
［但し、Ｒ＝カチオンの結晶イオン半径（オングストローム）であり、
Ｑ＝カチオンの原子価であり、
ｐＫａ＝以下の反応：
ＨＡ−（ｎ−１）＜＝＞Ｈ＋＋Ａ−ｎ
（式中、Ａは塩アニオンであり、Ｈは水素であり、ｎ＝アニオンの原子価の絶対値である）
のＫａの−ｌｏｇである］を満たす、相乗効果的な量の少なくとも１種類の無機塩；
iii）次式：
［Ｚ（ＣＦ２）ｘ（ＣＦ２ＣＦＸ）ｐ（Ｒ’）ｙ（ＣＨ２）ｚＲＯ３］ｎＭ
（式中、Ｚは、ＣＣｌ３、ＣＣｌ２Ｈ、Ｈ、Ｆ、ＣｌまたはＢｒから選択され；
Ｘはそれぞれ独立して、Ｈ、ＦまたはＣｌから選択され；
Ｒは、硫黄またはリンから選択され；Ｍは、Ｈまたは金属カチオン、アンモニウム、置換アンモニウムまたは第４級アンモニウムカチオンから選択され；
ｘは、整数であって０〜１０であり；
ｐは、整数であって０〜６であり；
ｙは、０または１であり；
ｚは、整数であって０〜１０であり；
ｘ＋ｙ＋ｚ＋ｐは、正の整数であるか、またはｘ＋ｙ＋ｚ＋ｐが０であれば、ＺはＣＣｌ３またはＣＣｌ２Ｈであり；
ｎは、Ｍの原子価であり；
Ｒ’は、
Ｃ５−６過フッ素化脂環式環ジラジカル；
［ＣＦ２Ｏ］、［ＣＦ２ＣＦ２Ｏ］、および［ＣＦ２ＣＦ（ＣＦ３）Ｏ］から選択される反復単位を有するＣ１−１６過フッ素化脂肪族ポリエーテルジラジカル；
置換または非置換芳香族ジラジカル（ここで、ＺはＨである）；から選択される）の発泡核剤；
を含む発泡成核パッケージと、を含む発泡性組成物であって、前記発泡成核パッケージが、前記パーフルオロポリマーと前記発泡成核パッケージの合計質量の０.１〜１０質量％の範囲である、発泡性組成物。
【請求項４】
パーフルオロポリマーが、テトラフルオロエチレン、ヘキサフルオロプロピレンおよびパーフルオロ（アルキルビニルエーテル）からなる群から選択されるモノマーを重合することによって製造される、請求項３に記載の組成物。